(57)【特許請求の範囲】
【請求項１】
シート状の原稿の搬送路途中の読取部に設けられたコンタクトガラスと、このコンタクトガラスに対向して前記搬送路の反対向に設けられた白圧板を有する画像読取装置であって、前記コンタクトガラスと白圧板の隙間を規制するスペーサを前記コンタクトガラスと白圧板の対向する面のそれぞれに設け、かつ、前記コンタクトガラスを前記原稿の搬送方向の前後逆に配置可能としたことを特徴とする画像読取装置。
【請求項２】
シート状の原稿の搬送路途中の読取部に設けられたコンタクトガラスと、このコンタクトガラスに対向して前記搬送路の反対向に設けられた白圧板を有する画像読取装置であって、前記コンタクトガラスと白圧板の隙間を規制するスペーサを前記コンタクトガラスの表裏両面に設け、かつ、前記コンタクトガラスを前記原稿の搬送方向に沿って表裏逆に配置可能としたことを特徴とする画像読取装置。
【請求項３】
シート状の原稿の搬送路途中の読取部に設けられたコンタクトガラスと、このコンタクトガラスに対向して前記搬送路の反対向に設けられた白圧板を有する画像読取装置であって、前記コンタクトガラスと白圧板の隙間を規制するスペーサを前記コンタクトガラスの両面及び白圧板のコンタクトガラスに対向する面のそれぞれに設け、かつ、前記コンタクトガラスを前記原稿の搬送方向に沿って前後・表裏逆に配置可能としたことを特徴とする画像読取装置。
【発明の詳細な説明】
【０００１】
【発明の属する技術分野】
本発明はＰＰＣ，ＦＡＸその他の装置に用いられる画像読取装置に関し、特に原稿の厚さに対応して、コンタクトガラスと白圧板の隙間を適切な値に設定可能として、原稿のスキューやバタつきを防止した画像読取装置に関する。
【０００２】
【従来の技術】
ＣＣＤと縮小光学系、シート状の原稿の搬送路途中の読取部に設けられたコンタクトガラスと、このコンタクトガラスに対向して前記搬送路の反対向に設けられた白圧板（白基準板とも呼ばれる）で構成される読取系を有する画像読取装置において、通紙時の紙のバタつきは画像の縦線ゆがみとなって現れる。そこで、従来技術では、例えば、図１１に示すように、白圧板６をスプリング７でコンタクトガラス１０側に押しつけ、スペーサ１１を間に挟むことで隙間を厳しく管理している。
【０００３】
図１１において、１，２は原稿１３を読取部に送り込むための第１ローラと第１コロ、３，４は同第２ローラと第２コロ、５は白圧板６の補強用角パイプ、７は白圧板６をコンタクトガラス１０側に押しつけるためのスプリング、８，９は画像読取装置の上部筐体及び下部筐体を示している。以下の説明では、白圧板６とコンタクトガラス１０に係るスペーサの配置を説明し、周辺部分の構成についての説明は、これを省略する。
なお、この種の画像読取装置としては、特開平９−２７０８８４号公報等に開示された装置を挙げることができる。
【０００４】
【発明が解決しようとする課題】
上記従来技術では、隙間値は、通常、原稿のバタつきを押さえるために狭めの値に設定されることが多く、この状態のままで厚手の原稿を通紙すると、白圧板と原稿背面とが擦れて負荷となり、スキューや画像のび等が発生する。
本発明の目的は、従来の技術における上述のような問題を解消し、原稿の厚さに対応して、コンタクトガラスと白圧板の隙間を適切な値に設定可能として、原稿のスキューやバタつきを防止した画像読取装置を提供することにある。
【０００５】
【課題を解決するための手段】
上記目的を達成するため、本発明に係る画像読取装置においては、隙間値を複数段階設定できるようにしたことを特徴とする。
より具体的には、本発明に係る画像読取装置においては、シート状の原稿の搬送路途中の読取部に設けられたコンタクトガラス１０と、このコンタクトガラス１０に対向して前記搬送路の反対向に設けられた白圧板６を有する画像読取装置において、上記コンタクトガラス１０と白圧板６の隙間を規制するスペーサを上記コンタクトガラス１０と白圧板１０の対向する面のそれぞれ（１１，１４）に設け、かつ、上記コンタクトガラス１０を上記原稿の搬送方向の前後逆に配置可能としたことを特徴とする。
【０００６】
また、本発明に係る画像読取装置においては、上記コンタクトガラス１０と白圧板６の隙間を規制するスペーサを上記コンタクトガラス１０の表裏両面（１１および１６）に設け、かつ、上記コンタクトガラス１０を上記原稿の搬送方向に沿って表裏逆に配置可能としたことを特徴とする。
また、本発明に係る画像読取装置においては、上記コンタクトガラス１０と白圧板６の隙間を規制するスペーサを上記コンタクトガラス１０の両面及び白圧板のコンタクトガラスに対向する面のそれぞれ（１１および１６，１４）に設け、かつ、上記コンタクトガラスを上記原稿の搬送方向に沿って前後・表裏逆に配置可能としたことを特徴とする。
【０００７】
本発明に係る画像読取装置においては、上述のような構成を採用したことにより、コンタクトガラス１０と白圧板６の隙間値を複数段階設定することが可能になる。すなわち、本発明に係る画像読取装置においては、原稿の厚さに対応してコンタクトガラス１０と白圧板６の隙間を適切な値に設定可能となり、原稿のスキューやバタつきを防止することができる。
また、上述のコンタクトガラス１０と白圧板６の隙間値の設定変更は、コンタクトガラス１０の置配（セット）の仕方を変えることによって簡単に行うことができる。
【０００８】
【発明の実施の形態】
以下、本発明を図面に示す好ましい実施例に基づいて詳細に説明する。
図１〜図３は、本発明の第１の実施例を示すものである。本実施例に係る画像読取装置では、通常原稿と厚手原稿を通紙するときとで、隙間狙い値を２段階に変えられる構成としている。
図１に、本実施例におけるコンタクトガラス１０上のスペーサ１１，１１の貼り付け位置を示す。コンタクトガラス１０は、クリップ１５によって画像読取装置の下部筐体９に固定される。なお、スペーサ１１は２枚とも読取領域外のクリップ１５の当たらない場所に貼り付けてある。
【０００９】
また、白圧板６上には、スペーサ１４がコンタクトガラス１０に対向するように貼り付けられている。この例では、スペーサ１４は通常原稿用の隙間値設定のためのものであり、厚手原稿用の隙間値は、スペーサ１４とスペーサ１１との合計値で設定されるように構成している。
図２は、通常原稿用の隙間値設定状態での構成を示す図である。ここでは、スプリング７によって押圧された白圧板６上のスペーサ１４がコンタクトガラス１０に当接し、このスペーサ１４の厚さが隙間値となっている。
【００１０】
図３は、厚手原稿用の隙間値設定での構成図であり、図２と比較すると理解されるように、コンタクトガラス１０の配置が前後（図中では、左右）逆になっている。この場合は、スプリング７によって押された白圧板６上のスペーサ１４がコンタクトガラス１０上のスペーサ１１に当接し、このスペーサ１１，１４の合計の厚さが隙間値、すなわち、厚手原稿用の隙間値となる。
この構成により、本実施例では２種類の隙間値を設定できる。
【００１１】
図４〜図６は、本発明の第２の実施例を示すものである。本実施例に係る画像読取装置でも、通常原稿と厚手原稿を通紙するときとで、隙間狙い値を２段階に変えられる構成としている。本実施例では実施例１と異なり、コンタクトガラス１０を表裏逆に配置することで２種類の隙間値を設定可能としている。
図４は、本実施例におけるコンタクトガラス１０上のスペーサ１１（表面），１６（裏面）の貼り付け位置を示す図である。コンタクトガラス１０はクリップ１５によって画像読取装置の下部筐体９に固定される。
なお、スペーサ１１，１６はいずれもコンタクトガラス１０の読取領域外のクリップ１５の当たらない場所に、表裏に貼り付けられている。
【００１２】
図５は、通常原稿用の隙間値設定での構成図であり、スプリング７によって押された白圧板６がコンタクトガラス１０上のスペーサ１１に当接し、このスペーサ１１の厚さが隙間値となる。
また、図６は、厚手原稿用の隙間値設定での構成図であり、コンタクトガラス１０の取付け方が表裏逆になっている。
この場合は、スプリング７によって押された白圧板６がコンタクトガラス１０上のスペーサ１６に当たり、このスペーサ１６の厚さが隙間値となる。このような構成により、本実施例では２種類の隙間値を設定することができる。
【００１３】
図７〜図１０は、本発明の第３の実施例を示すものである。本実施例に係る画像読取装置では、通常原稿と厚手原稿を通紙するときとで、隙間狙い値を３段階に変えられる構成としている。本実施例では、コンタクトガラス１０を前後・表裏逆に配置することで３種類の隙間値を設定可能としている。
本実施例では、第２の実施例に示した構成に更に白圧板６側のスペーサを追加し、コンタクトガラス１０の前後逆セットに加えて表裏逆セットを行うことにより、キャリアシートなどの更に厚い原稿用の隙間値も設定可能としている。
【００１４】
図７は、本実施例におけるコンタクトガラス１０上のスペーサ１１，１６の貼り位置を示す図である。スペーサ１１（表面），１６（裏面）は２枚とも読取領域外のクリップ１５の当たらない場所に貼り付けられている。なお、スペーサ１１とスペーサ１６とは、厚さが異なるものである。
図８は、通常原稿用の隙間値設定での構成図であり、スプリング７によって押された白圧板６上のスペーサ１４がコンタクトガラス１０に直接当接し、このスペーサ１４の厚さが隙間値となる。
【００１５】
図９は、厚手原稿用の隙間値設定での構成図であり、図８に示した構成とは、コンタクトガラス１０の配置が前後逆になっている。この場合には、スプリング７によって押された白圧板６上のスペーサ１４がコンタクトガラス１０上のスペーサ１１に当接し、このスペーサ１４，１１の合計の厚さが隙間値となる。
図１０は、極厚手原稿用の隙間値設定での構成図であり、コンタクトガラス１０の配置が図９に示した構成とは表裏逆になっている。
【００１６】
この場合には、スプリング７によって押された白圧板６上のスペーサ１４がコンタクトガラス１０上のスペーサ１６に当接し、このスペーサ１４，１６の合計の厚さが隙間値となる。
このような構成を採用したことにより、本実施例では３種類の隙間値を設定できる。
なお、上記各実施例はいずれも本発明の一例を示したものであり、本発明はこれらに限定されるべきものではないことは言うまでもないことである。
【００１７】
【発明の効果】
以上、詳細に説明したように、本発明によれば、原稿の厚さに対応して、コンタクトガラスと白圧板の隙間を適切な値に設定可能として、原稿のスキューやバタつきを防止した画像読取装置を実現できるという顕著な効果を奏するものである。
【図面の簡単な説明】
【図１】本発明の第１の実施例に係るコンタクトガラス１０上のスペーサ１１の貼り付け位置を示す図である。
【図２】図１に示した実施例の通常原稿用の隙間値設定での構成図である。
【図３】図１に示した実施例の厚手原稿用の隙間値設定での構成図である。
【図４】本発明の第２の実施例に係るコンタクトガラス１０上のスペーサ１１，１６の貼り付け位置を示す図である。
【図５】図５に示した実施例の通常原稿用の隙間値設定での構成図である。
【図６】図５に示した実施例の厚手原稿用の隙間値設定での構成図である。
【図７】本発明の第３の実施例に係るコンタクトガラス１０上のスペーサ１１，１６の貼り付け位置を示す図である。
【図８】図７に示した実施例の通常原稿用の隙間値設定での構成図である。
【図９】図７に示した実施例の厚手原稿用の隙間値設定での構成図である。
【図１０】図７に示した実施例の極厚手原稿用の隙間値設定での構成図である。
【図１１】従来技術に係る読取装置の要部の概略構成を示す図である。
【符号の説明】
５  角パイプ
６  白圧板
７  スプリング
１０  コンタクトガラス
１１，１６  コンタクトガラス上のスペーサ
１４  白圧板上のスペーサ
１５  クリップ
【図１】
0003567738.tif 000002
【図２】
0003567738.tif 000003
【図３】
0003567738.tif 000004
【図４】
0003567738.tif 000005
【図５】
0003567738.tif 000006
【図６】
0003567738.tif 000007
【図７】
0003567738.tif 000008
【図８】
0003567738.tif 000009
【図９】
0003567738.tif 000010
【図１０】
0003567738.tif 000011
【図１１】
0003567738.tif 000012